(57)【要約】【課題】光学エンジンを光源装置の設置方向が異なる複数機種に応じた共通部品として採用できるプロジェクタを提供する。【解決手段】光源装置１０は、光源ランプおよび主反射鏡を支持し光学部品用筐体６０に対して固定するための光源装置固定部１５４を有するランプハウジング１５を備える。光源装置固定部１５４には、光学部品用筐体６０に当接する当接面１５４１Ａが形成されている。光学部品用筐体６０の光源装置支持部６３には、鉛直方向上方側から当接面１５４１Ａと当接し光源装置１０を照明光軸Ａに対する所定位置に位置付ける第１の位置決め面６３２１Ａと、鉛直方向下方側から当接面１５４１Ａに当接し光源装置１０を照明光軸Ａに対する所定位置に位置付ける第２の位置決め面６３２２Ｂとが形成されている。第１の位置決め面６３２１Ａおよび第２の位置決め面６３２２Ｂは、照明光軸Ａを中心とする回転対称形状を有している。【選択図】図５
2007256437.tif 000002
【特許請求の範囲】
【請求項１】
光源装置と、前記光源装置から射出された光束を画像情報に応じて変調して光学像を形成する光変調装置と、前記光学像を拡大投射する投射光学装置と、前記光源装置および前記光変調装置を内部に設定された照明光軸に対する所定位置に位置付ける光学部品用筐体とを備えたプロジェクタであって、
前記光源装置は、放電発光を行う光源ランプと、断面略凹状に拡がり前記光源ランプから放射された光束を反射するリフレクタと、前記光源ランプおよび前記リフレクタを支持し前記光学部品用筐体に対して固定するための光源装置固定部を有するランプハウジングとを備え、
前記光源装置固定部には、前記光学部品用筐体に当接する当接面が形成され、
前記光学部品用筐体は、当該プロジェクタを所定位置に設置した状態で鉛直方向上方側および鉛直方向下方側の双方側から前記光源装置固定部と接続可能に構成され前記光源装置を支持する光源装置支持部を備え、
前記光源装置支持部には、前記鉛直方向上方側から前記当接面と当接し前記光源装置を前記照明光軸に対する所定位置に位置付ける第１の位置決め面と、前記鉛直方向下方側から前記当接面と当接し前記光源装置を前記照明光軸に対する所定位置に位置付ける第２の位置決め面とが形成され、
前記第１の位置決め面および前記第２の位置決め面は、前記照明光軸を中心とする回転対称形状を有していることを特徴とするプロジェクタ。
【請求項２】
請求項１に記載のプロジェクタにおいて、
前記光源装置支持部は、前記鉛直方向と直交する水平面に沿って光束入射側に向けて延出する平板形状をそれぞれ有する一対の位置決め部を備え、
前記光源装置固定部は、前記一対の位置決め部に対応して平面状の前記当接面をそれぞれ有する第１の固定部および第２の固定部を備え、
前記一対の位置決め部は、前記照明光軸を中心とする回転対称形状を有し、前記鉛直方向上方側の各端面が前記第１の固定部および前記第２の固定部の前記当接面とそれぞれ当接する前記第１の位置決め面として構成され、前記鉛直方向下方側の各端面が前記第２の固定部および前記第１の固定部の前記当接面とそれぞれ当接する前記第２の位置決め面として構成されていることを特徴とするプロジェクタ。
【請求項３】
請求項２に記載のプロジェクタにおいて、
前記一対の位置決め部は、平板形状の厚み方向中心位置が前記照明光軸を通り前記鉛直方向と直交する水平面上に位置するように形成されていることを特徴とするプロジェクタ。
【発明の詳細な説明】
【技術分野】
【０００１】
本発明は、プロジェクタに関する。
【背景技術】
【０００２】
従来、光源から射出された光束を画像情報に応じて変調して光学像を形成し拡大投射するプロジェクタが知られている。
このようなプロジェクタでは、外装ケース（外装筐体）内部に光学ユニット（光学エンジン）が配置された構成を有する（例えば、特許文献１参照）。
特許文献１に記載の光学エンジンは、光源装置と、光源装置から射出された光束を画像情報に応じて変調して光学像を形成する光変調装置と、光学像を拡大投射する投射光学装置と、光源装置、光変調装置、および投射光学装置を内部に設定された照明光軸に対する所定位置に位置付けるライトガイド（光学部品用筐体）とで構成されている。
また、特許文献１に記載のプロジェクタでは、光源装置に寿命がきたとき等、光源装置を取り出して交換できるように、外装筺体の天面には光源装置の位置に対応して開口が形成され、開口をランプカバーで塞ぐとともに外装筺体に対して着脱自在とする構造が採用されている。
【０００３】
【特許文献１】特開２００３−４３５８３号公報
【発明の開示】
【発明が解決しようとする課題】
【０００４】
特許文献１に記載の光学エンジンは、光源装置を鉛直方向上方側（プロジェクタの天面側）から光学部品用筐体に設置させるように構成したものである。すなわち、光源装置を鉛直方向下方側（プロジェクタの底面側）から光学部品用筐体に設置することができず、例えば、外装ケースの底面に開口およびランプカバーが形成されている構成には特許文献１に記載の光学エンジンを適用することができない。
したがって、光学エンジンを光源装置の設置方向が異なる複数機種に応じた共通部品として採用できる技術が要望されている。
【０００５】
本発明の目的は、光学エンジンを光源装置の設置方向が異なる複数機種に応じた共通部品として採用できるプロジェクタを提供することにある。
【課題を解決するための手段】
【０００６】
本発明のプロジェクタは、光源装置と、前記光源装置から射出された光束を画像情報に応じて変調して光学像を形成する光変調装置と、前記光学像を拡大投射する投射光学装置と、前記光源装置および前記光変調装置を内部に設定された照明光軸に対する所定位置に位置付ける光学部品用筐体とを備えたプロジェクタであって、前記光源装置は、放電発光を行う光源ランプと、断面略凹状に拡がり前記光源ランプから放射された光束を反射するリフレクタと、前記光源ランプおよび前記リフレクタを支持し前記光学部品用筐体に対して固定するための光源装置固定部を有するランプハウジングとを備え、前記光源装置固定部には、前記光学部品用筐体に当接する当接面が形成され、前記光学部品用筐体は、当該プロジェクタを所定位置に設置した状態で鉛直方向上方側および鉛直方向下方側の双方側から前記光源装置固定部と接続可能に構成され前記光源装置を支持する光源装置支持部を備え、前記光源装置支持部には、前記鉛直方向上方側から前記当接面と当接し前記光源装置を前記照明光軸に対する所定位置に位置付ける第１の位置決め面と、前記鉛直方向下方側から前記当接面と当接し前記光源装置を前記照明光軸に対する所定位置に位置付ける第２の位置決め面とが形成され、前記第１の位置決め面および前記第２の位置決め面は、前記照明光軸を中心とする回転対称形状を有していることを特徴とする。
【０００７】
ここで、リフレクタとしては、パラボラリフレクタおよび楕円面リフレクタのいずれを採用してもよい。
また、第１の位置決め面および第２の位置決め面としては、平面状に限らず、曲面状等の他の形状としても構わない。当接面も同様である。
さらに、第１の位置決め面および第２の位置決め面としては、それぞれ１つずつ形成する構成としてもよいし、それぞれ複数形成する構成としても構わない。当接面も同様である。
【０００８】
本発明によれば、光学部品用筐体が光源装置支持部を有し、ランプハウジングが光源装置固定部を有しているので、以下に示すように、光学部品用筐体に対して光源装置を２種類の設置方法で設置できる。
例えば、光学部品用筐体に対して光源装置を鉛直方向上方側から設置する場合には、以下に示すように実施できる。
すなわち、光学部品用筐体における光源装置支持部の第１の位置決め面に、光源装置における光源装置固定部の当接面を当接させる。この状態では、光源装置は、照明光軸に対する所定位置に位置決めされる。そして、光源装置支持部および光源装置固定部を接続することで、光学部品用筐体に対して光源装置が設置（固定）される。
【０００９】
また、例えば、光学部品用筐体に対して光源装置を鉛直方向下方側から設置する場合には、以下に示すように実施できる。
すなわち、上述した光学部品用筐体に対して光源装置を鉛直方向上方側から設置した際での光源装置の姿勢状態に対して、上下が逆となる姿勢状態（光源装置から射出される光束の中心軸を中心として１８０°回転させた姿勢状態）で、光源装置支持部の第２の位置決め面に、光源装置固定部の当接面を当接させる。この状態では、光源装置は、上述した光学部品用筐体に対して光源装置を鉛直方向上方側から設置した際での位置決め状態と同様に、照明光軸に対する所定位置に位置決めされる。そして、光源装置支持部および光源装置固定部を接続することで、光学部品用筐体に対して光源装置が設置（固定）される。
【００１０】
以上のように、光源装置を鉛直方向上方側および鉛直方向下方側の双方の側から光学部品用筐体に対して設置でき、例えば外装筺体の天面に開口およびランプカバーが形成されたプロジェクタの場合には光源装置を鉛直方向上方側から光学部品用筐体に設置する構造を採用し、外装筺体の底面に開口およびランプカバーが形成されたプロジェクタの場合には光源装置を鉛直方向下方側から光学部品用筐体に設置する構造を採用できる。
したがって、光源装置、光変調装置、および光学部品用筐体が一体化される光学エンジンを光源装置の設置方向が異なる複数機種に応じた共通部品として採用でき、本発明の目的が達成できる。
【００１１】
ところで、例えば、第１の位置決め面および第２の位置決め面を対向するように形成する。また、当接面を、第１の位置決め面に当接する第１の当接面と第２の位置決め面に当接する第２の当接面の２つで構成し、互いに対向するように構成する。そして、光学部品用筐体に対して光源装置を鉛直方向上方側から設置する場合には、第１の位置決め面と第１の当接面とを当接させる。また、光学部品用筐体に対して光源装置を鉛直方向下方側から設置する場合には、上述した光学部品用筐体に対して光源装置を鉛直方向上方側から設置した際での光源装置の姿勢状態と同一の姿勢状態で、第２の位置決め面と第２の当接面とを当接させる。このように構成した場合には、光学部品用筐体に対して光源装置を鉛直方向上方側から設置した状態と鉛直方向下方側から設置した状態とで、第１の位置決め面と第２の位置決め面との離間寸法や、第１の当接面と第２の当接面との離間寸法の影響により、照明光軸に対する光源装置の位置決め状態が異なるものとなってしまう。
本発明では、第１の位置決め面および第２の位置決め面が照明光軸を中心とする回転対称形状を有している。このため、上述したように、光学部品用筐体に対して光源装置を鉛直方向上方側から設置する場合と鉛直方向下方側から設置する場合とで光源装置を異なる姿勢状態で設置することで、光学部品用筐体に対して光源装置を鉛直方向上方側から設置した状態と鉛直方向下方側から設置した状態とで、照明光軸に対する光源装置の位置決め状態を同一のものとすることができる。
【００１２】
本発明のプロジェクタでは、前記光源装置支持部は、前記鉛直方向と直交する水平面に沿って光束入射側に向けて延出する平板形状をそれぞれ有する一対の位置決め部を備え、前記光源装置固定部は、前記一対の位置決め部に対応して平面状の前記当接面をそれぞれ有する第１の固定部および第２の固定部を備え、前記一対の位置決め部は、前記照明光軸を中心とする回転対称形状を有し、前記鉛直方向上方側の各端面が前記第１の固定部および前記第２の固定部の前記当接面とそれぞれ当接する前記第１の位置決め面として構成され、前記鉛直方向下方側の各端面が前記第２の固定部および前記第１の固定部の前記当接面とそれぞれ当接する前記第２の位置決め面として構成されていることが好ましい。
【００１３】
本発明によれば、光学部品用筐体に対して光源装置を鉛直方向上方側から設置する場合には、一対の位置決め部の鉛直方向上方側の各端面（第１の位置決め面）に第１の固定部および第２の固定部の各当接面をそれぞれ当接するだけで、光学部品用筐体に対して光源装置を簡単に設置できる。また、光学部品用筐体に対して光源装置を鉛直方向下方側から設置する場合には、上述した光学部品用筐体に対して光源装置を鉛直方向上方側から設置した際での光源装置の姿勢状態に対して上下が逆となる姿勢状態で、一対の位置決め部の鉛直方向下方側の各端面（第２の位置決め面）に第２の固定部および第１の固定部の各当接面をそれぞれ当接するだけで、光学部品用筐体に対して光源装置を簡単に設置できる。
また、光学部品用筐体に対する光源装置の支持構造が一対の位置決め部と第１の固定部および第２の固定部の２つの箇所で実施されるので、光学部品用筐体に対する光源装置の支持状態を良好に維持できる。
【００１４】
本発明のプロジェクタでは、前記一対の位置決め部は、平板形状の厚み方向中心位置が前記照明光軸を通り前記鉛直方向と直交する水平面上に位置するように形成されていることが好ましい。
ところで、各第１の位置決め面や各第２の位置決め面が、照明光軸を通り鉛直方向と直交する水平面上から離間した状態では、一対の位置決め部の製造誤差や第１の固定部および第２の固定部の製造誤差等の影響により、照明光軸に対する所定位置に光源装置を位置決めすることが難しい。
本発明によれば、一対の位置決め部は、平板形状の厚み方向中心位置が照明光軸を通り鉛直方向と直交する水平面上に位置するように形成されているので、各第１の位置決め面および各第２の位置決め面と前記水平面との各離間距離を同一のものとしかつ、各第１の位置決め面および各第２の位置決め面を前記水平面に近接した状態とすることができる。このため、照明光軸に対する所定位置に光源装置を良好に位置決めできるとともに、位置決め状態を安定して維持できる。
【発明を実施するための最良の形態】
【００１５】
以下、本発明の実施の一形態を図面に基づいて説明する。
〔プロジェクタの構成〕
図１は、プロジェクタ１の概略構成を示す平面図である。
プロジェクタ１は、光源から射出された光束を画像情報に応じて変調して画像光を形成し、該画像光をスクリーン等の投射面上に拡大投射する光学機器である。このプロジェクタ１は、図１に示すように、略直方体状の外装筺体２と、この外装筺体２内部に収納配置される光学ユニット（光学エンジン）３とで大略構成される。
なお、具体的な図示は省略するが、外装筺体２内部には、光学ユニット３の他、プロジェクタ１の構成部材に外部からの電力を供給する電源ユニット、プロジェクタ１内部を冷却する冷却ユニット、プロジェクタ１全体を制御する制御装置等が配置されるものとする。
【００１６】
外装筺体２は、射出成型等による合成樹脂製品であり、プロジェクタ１の天面、前面、背面、および側面をそれぞれ構成するアッパーケース、およびプロジェクタ１の底面、前面、背面、および側面をそれぞれ構成するロアーケース等で構成される。そして、各ケースは、互いにねじ等で固定されている。
なお、外装筺体２は、合成樹脂製に限らず、その他の材料にて形成してもよく、例えば、金属等により構成してもよい。
【００１７】
図２は、光学ユニット３の概略構成を示す斜視図である。なお、図２では、光学部品用筐体６０に対して光源装置１０が鉛直方向下方側から設置された状態を示している。
光学ユニット３は、外装筺体２内部に配置され、画像光を形成して拡大投射する。この光学ユニット３は、図１または図２に示すように、光源装置１０、均一照明光学系２０（図１）、色分離光学系３０（図１）、リレー光学系３５（図１）、光学装置４０、および投射光学装置としての投射光学系５０を備えて構成され、光源装置１０、光学系２０〜３５を構成する光学素子、光学装置４０、および投射光学系５０は、所定の照明光軸Ａ（図１）が設定された光学部品用筐体６０に位置決め調整されて設置される。
【００１８】
光源装置１０は、光源ランプ１１から放射された光束を一定方向に揃えて射出し、光学装置４０を照明するものである。この光源装置１０は、図１に示すように、放電発光を行なう光源ランプ１１、リフレクタとしての主反射鏡１２、および平行化凹レンズ１４を備えて構成されている。この光源装置１０は、具体的な構造については後述するが、ランプハウジング１５に収納配置されることで、光学部品用筐体６０に対する所定位置（光源装置１０から射出される光束の中心軸と光学部品用筐体６０内に設定された照明光軸Ａとが一致する位置）に位置決めされる。
そして、光源ランプ１１から放射された光束は、主反射鏡１２により光源装置１０の前方側に射出方向を揃えて集束光として射出され、平行化凹レンズ１４によって平行化され、均一照明光学系２０に射出される。
ここで、光源ランプ１１としては、ハロゲンランプやメタルハライドランプ、または高圧水銀ランプが多用される。また、主反射鏡１２としては、図１では、楕円面リフレクタで構成しているが、光源ランプ１１から射出された光束を略平行化して反射するパラボラリフレクタとして構成してもよい。この場合には、平行化凹レンズ１４を省略する。
【００１９】
均一照明光学系２０は、光源装置１０から射出された光束を複数の部分光束に分割し、照明領域の面内照度を均一化する光学系である。この均一照明光学系２０は、図１に示すように、第１レンズアレイ２１、第２レンズアレイ２２、偏光変換素子２３、および重畳レンズ２４を備えている。
第１レンズアレイ２１は、光源装置１０から射出された光束を複数の部分光束に分割する光束分割光学素子としての機能を有し、照明光軸Ａと直交する面内にマトリクス状に配列される複数の小レンズを備えて構成される。
第２レンズアレイ２２は、上述した第１レンズアレイ２１により分割された複数の部分光束を集光する光学素子であり、第１レンズアレイ２１と同様に照明光軸Ａに直交する面内にマトリクス状に配列される複数の小レンズを備えた構成を有している。
【００２０】
偏光変換素子２３は、第１レンズアレイ２１により分割された各部分光束の偏光方向を略一方向の直線偏光に揃える偏光変換素子である。
この偏光変換素子２３は、図示を略したが、照明光軸Ａに対して傾斜配置される偏光分離膜および反射膜を交互に配列した構成を具備する。偏光分離膜は、各部分光束に含まれるＰ偏光光束およびＳ偏光光束のうち、一方の偏光光束を透過し、他方の偏光光束を反射する。反射された他方の偏光光束は、反射膜によって曲折され、一方の偏光光束の射出方向、すなわち、照明光軸Ａに沿った方向に射出される。射出された偏光光束のいずれかは、偏光変換素子２３の光束射出面に設けられる位相差板によって偏光変換され、略全ての偏光光束の偏光方向が揃えられる。このような偏光変換素子２３を用いることにより、光源ランプ１１から射出される光束を、略一方向の偏光光束に揃えることができるため、光学装置４０で利用する光源光の利用率を向上することができる。
【００２１】
重畳レンズ２４は、第１レンズアレイ２１、第２レンズアレイ２２、および偏光変換素子２３を経た複数の部分光束を集光して光学装置４０の後述する３つの液晶パネルの画像形成領域上で重畳させる光学素子である。
【００２２】
色分離光学系３０は、図１に示すように、２枚のダイクロイックミラー３１，３２と、反射ミラー３３とを備え、ダイクロイックミラー３１，３２により均一照明光学系２０から射出された複数の部分光束を、赤（Ｒ）、緑（Ｇ）、青（Ｂ）の３色の色光に分離する機能を具備する。
ダイクロイックミラー３１，３２は、基板上に所定の波長領域の光束を反射し、他の波長領域の光束を透過する波長選択膜が形成された光学素子である。そして、光路前段に配置されるダイクロイックミラー３１は、青色光を反射し、その他の色光を透過するミラーである。また、光路後段に配置されるダイクロイックミラー３２は、緑色光を反射し、赤色光を透過するミラーである。
【００２３】
リレー光学系３５は、図１に示すように、入射側レンズ３６と、リレーレンズ３８と、反射ミラー３７，３９とを備え、色分離光学系３０を構成するダイクロイックミラー３１，３２を透過した赤色光を光学装置４０まで導く機能を有している。なお、赤色光の光路にこのようなリレー光学系３５が設けられているのは、赤色光の光路の長さが他の色光の光路の長さよりも長いため、光の発散等による光の利用効率の低下を防止するためである。本実施形態においては赤色光の光路の長さが長いのでこのような構成とされているが、青色光の光路の長さを長くしてリレー光学系３５を青色光の光路に用いる構成も考えられる。
【００２４】
上述したダイクロイックミラー３１により分離された青色光は、反射ミラー３３により曲折された後、フィールドレンズ４１を介して光学装置４０に供給される。また、ダイクロイックミラー３２により分離された緑色光は、そのままフィールドレンズ４１を介して光学装置４０に供給される。さらに、赤色光は、リレー光学系３５を構成するレンズ３６，３８および反射ミラー３７，３９により集光、曲折されてフィールドレンズ４１を介して光学装置４０に供給される。なお、光学装置４０の各色光の光路前段に設けられるフィールドレンズ４１は、第２レンズアレイ２２から射出された各部分光束を、各部分光束の主光線に対して平行な光束に変換するために設けられている。
【００２５】
光学装置４０は、入射した光束を画像情報に応じて変調して画像光（カラー画像）を形成するものである。この光学装置４０は、図１に示すように、照明対象となる光変調装置としての３つの液晶パネル４２Ｒ，４２Ｇ，４２Ｂ（赤色光側の液晶パネルを４２Ｒ、緑色光側の液晶パネルを４２Ｇ、青色光側の液晶パネルを４２Ｂとする）と、色合成光学装置としてのクロスダイクロイックプリズム４３とを備えて構成される。なお、図１に示すように、フィールドレンズ４１および各液晶パネル４２Ｒ，４２Ｇ，４２Ｂの間には、入射側偏光板４４がそれぞれ介在配置され、各液晶パネル４２Ｒ，４２Ｇ，４２Ｂおよびクロスダイクロイックプリズム４３の間には、射出側偏光素子としての射出側偏光板４５がそれぞれ介在配置され、入射側偏光板４４、液晶パネル４２Ｒ，４２Ｇ，４２Ｂ、および射出側偏光板４５によって入射する各色光の光変調が行なわれる。
【００２６】
入射側偏光板４４は、偏光変換素子２３で偏光方向が略一方向に揃えられた各色光が入射され、入射された光束のうち、偏光変換素子２３で揃えられた光束の偏光方向と略同一方向の偏光光のみ透過させ、その他の光束を吸収するものである。この入射側偏光板４４は、例えば、サファイアガラスまたは水晶等の透光性基板上に偏光膜が貼付された構成を有している。
液晶パネル４２Ｒ，４２Ｇ，４２Ｂは、具体的な図示は省略するが、一対の透明なガラス基板に電気光学物質である液晶が密閉封入された構成を有し、前記制御装置からの駆動信号に応じて、前記液晶の配向状態が制御され、入射側偏光板４４から射出された偏光光束の偏光方向を変調する。
【００２７】
射出側偏光板４５は、入射側偏光板４４と同様の構成を有し、液晶パネル４２Ｒ，４２Ｇ，４２Ｂから射出された光束のうち、入射側偏光板４４における光束の透過軸と直交する偏光方向を有する光束のみ透過させ、その他の光束を吸収するものである。
クロスダイクロイックプリズム４３は、射出側偏光板４５から射出された色光毎に変調された変調光を合成して画像光（カラー画像）を形成する光学素子である。このクロスダイクロイックプリズム４３は、４つの直角プリズムを貼り合わせた平面視正方形状をなし、直角プリズム同士を貼り合わせた界面には、２つの誘電体多層膜が形成されている。これら誘電体多層膜は、投射光学系５０と対向する側（Ｇ色光側）に配置された射出側偏光板４５を介した色光を透過し、残り２つの射出側偏光板４５（Ｒ色光側およびＢ色光側）を介した色光を反射する。このようにして、各入射側偏光板４４、各液晶パネル４２Ｒ，４２Ｇ，４２Ｂ、および各射出側偏光板４５にて変調された各色光が合成されてカラー画像が形成される。
【００２８】
投射光学系５０は、複数のレンズを組み合わせた組レンズとして構成され、光学装置４０にて形成されたカラー画像をスクリーン（図示略）上に拡大投射する。
【００２９】
〔光学部品用筐体に対する光源装置の支持構造〕
図３は、光学部品用筐体６０に対する光源装置１０の支持構造を示す分解斜視図である。なお、図３では、説明の便宜上、光学ユニット３において、光学部品用筐体６０および光源装置１０のみを図示し、他の光学部品については省略している。
以下では、光学部品用筐体６０の構造、および光源装置１０を構成するランプハウジング１５の構造を順に説明した後に、光学部品用筐体６０に対する光源装置１０の支持構造（設置方法）を説明する。
【００３０】
〔光学部品用筐体の構造〕
光学部品用筐体６０は、光源装置１０、光学系２０〜３５を構成する光学素子、光学装置４０、および投射光学系５０を照明光軸Ａに対する所定位置に設置する部品収納部材６０Ａ（図２）と、部品収納部材６０Ａにおける上方側の開口部分を閉塞する蓋状部材６０Ｂ（図２）とで構成される。
【００３１】
部品収納部材６０Ａは、図３に示すように、光学部品用筐体６０の底面および側面をそれぞれ構成する。この部品収納部材６０Ａは、図３に示すように、部品収納部６１と、投射光学系支持部６２と、光源装置支持部６３とが一体的に形成されたものである。
部品収納部６１は、図３に示すように、上方側端面が開口し平面視略Ｌ字形状を有する容器状に形成され、内部に上述した光学部品２１〜２４，３１〜３３，３６〜３９，４０を収納する部分である。
この部品収納部６１において、内側面には、図３に示すように、上述した光学部品２１〜２４，３１〜３３，３６〜３９，４１，４４を上方からスライド式に嵌め込むための複数の溝部６１１が形成されている。
【００３２】
投射光学系支持部６２は、図３に示すように、部品収納部６１における平面視Ｌ字形状の一端側の側面に形成され、投射光学系５０のレンズ光軸を照明光軸Ａに対する所定位置に位置付けた状態で投射光学系５０を支持固定する部分である。
この投射光学系支持部６２は、図３に示すように、平面視略矩形状に形成され、平面視略中央部分には光学装置４０のクロスダイクロイックプリズム４３からの光束射出位置に対応して円形状の孔６２１が形成されており、光学装置４０にて形成されたカラー画像が孔６２１を介して投射光学系５０に入射する。
【００３３】
光源装置支持部６３は、図３に示すように、部品収納部６１における平面視Ｌ字形状の他端側の側面に形成され、光源装置１０から射出される光束の中心軸を照明光軸Ａに一致させた状態で光源装置１０を支持固定する部分である。
この光源装置支持部６３は、図３に示すように、支持部本体６３１と、一対の位置決め部６３２１，６３２２（光束入射側から見た場合に右側に位置する位置決め部を６３２１、左側に位置する位置決め部を６３２２とする）とを備える。
支持部本体６３１は、図３に示すように、平面視略矩形状の板体で構成され、部品収納部６１における平面視Ｌ字形状の他端側の側面に一体的に形成されたものである。
この支持部本体６３１には、図３に示すように、平面視略矩形状の開口部６３１１が形成され、光源装置１０から射出された光束が開口部６３１１を介して均一照明光学系２０に入射する。
【００３４】
一対の位置決め部６３２１，６３２２は、図３に示すように、支持部本体６３１の光束入射側端面に突設され、光源装置１０を光学部品用筐体６０に対する所定位置（光源装置１０から射出される光束の中心軸と照明光軸Ａとが一致する位置）に位置決めする部分である。
これら一対の位置決め部６３２１，６３２２は、図３に示すように、支持部本体６３１の光束入射側端面において、開口部６３１１を挟んで、水平方向（プロジェクタ１を正置き姿勢（机等の設置面上に載置した状態）や天吊り姿勢（正置き姿勢に対して上下が逆となるように天井等から吊下げた状態）に設置した状態での鉛直方向に直交する方向）に対向するように突設されている。そして、一対の位置決め部６３２１，６３２２は、照明光軸Ａを中心とする１８０°の回転対称形状を有している（図５参照）。
なお、以下では、「鉛直方向」を、プロジェクタ１を正置き姿勢や天吊り姿勢に設置した状態での鉛直方向として用い、「水平方向」を前記鉛直方向に直交する方向として用いる。
【００３５】
位置決め部６３２１は、図３に示すように、平板状に形成され、板面が水平面（前記鉛直方向に直交する平面）に平行に延出する。
そして、位置決め部６３２１における鉛直方向上方側の端面（図３における上方側端面）は、光源装置支持部６３に対して光源装置１０を鉛直方向上方側（プロジェクタ１の天面側）から設置する際に、光源装置１０の後述する第１の固定部の当接面と当接する第１の位置決め面６３２１Ａとして機能する。
また、位置決め部６３２１における鉛直方向下方側の端面（図３における下方側端面）は、光源装置支持部６３に対して光源装置１０を鉛直方向下方側（プロジェクタ１の底面側）から設置する際に、光源装置１０の後述する第２の固定部の当接面と当接する第２の位置決め面６３２１Ｂとして機能する。
【００３６】
また、この位置決め部６３２１には、図３に示すように、各位置決め面６３２１Ａ，６３２１Ｂを貫通し、光源装置１０を該位置決め部６３２１に対して位置決めするための位置決め用孔６３２１Ｃと、光源装置１０を該位置決め部６３２１に固定するための固定用孔６３２１Ｄとが形成されている。
【００３７】
さらに、位置決め部６３２１には、図３に示すように、平面視三角形状の板状に形成され、板面が鉛直方向に沿うように位置決め部６３２１の側端部および支持部本体６３１の光束入射側端面に接続する補強部６３３が設けられている。
【００３８】
位置決め部６３２２は、上述したように位置決め部６３２１と照明光軸Ａを中心とする１８０°の回転対称形状を有するものであり、図３に示すように、位置決め部６３２１における位置決め用孔６３２１Ｃおよび固定用孔６３２１Ｄと同様の、位置決め用孔６３２２Ｃおよび固定用孔６３２２Ｄを有する。また、位置決め部６３２２には、位置決め部６３２１と同様に補強部６３３が設けられている。
そして、位置決め部６３２２における鉛直方向上方側の端面（図３における上方側端面）は、位置決め部６３２１における第２の位置決め面６３２１Ｂと照明光軸Ａを中心とする１８０°の回転対称形状を有し、光源装置支持部６３に対して光源装置１０を鉛直方向上方側（プロジェクタ１の天面側）から設置する際に、光源装置１０の後述する第２の固定部の当接面と当接する第１の位置決め面６３２２Ａとして機能する。
また、位置決め部６３２２における鉛直方向下方側の端面（図３における下方側端面）は、位置決め部６３２１における第１の位置決め面６３２１Ａと照明光軸Ａを中心とする１８０°の回転対称形状を有し、光源装置支持部６３に対して光源装置１０を鉛直方向下方側（プロジェクタ１の底面側）から設置する際に、光源装置１０の後述する第１の固定部の当接面と当接する第２の位置決め面６３２２Ｂとして機能する。
【００３９】
以上説明した、一対の位置決め部６３２１，６３２２は、平板形状の厚み方向中心位置Ｏが照明光軸Ａを通り鉛直方向と直交する水平面ＨＳ（図５参照）上に位置するように形成されている。
すなわち、位置決め部６３２１における各位置決め面６３２１Ａ，６３２１Ｂは、水平面ＨＳを中心とする鏡面対称位置に位置付けられている。同様に、位置決め部６３２２における各位置決め面６３２２Ａ，６３２２Ｂは、水平面ＨＳを中心とする鏡面対称位置に位置付けられている。
【００４０】
〔ランプハウジングの構造〕
図４は、ランプハウジング１５の構造を示す図である。具体的に、図４は、光源装置１０を光束射出後方側から見た斜視図である。なお、以下では、説明の便宜上、光源装置１０から射出される光束の中心軸（照明光軸Ａ）をＺ軸とし、このＺ軸に直交する２軸をそれぞれＸ軸（水平軸）およびＹ軸（鉛直軸）とする。
ランプハウジング１５は、図４に示すように、光源ランプ１１および主反射鏡１２が一体化されたユニット１０Ａ（以下、光源装置本体１０Ａと記載する）と、平行化凹レンズ１４（図１）とを支持し、これら各部材１０Ａ，１４を一体化する。このランプハウジング１５は、図４に示すように、基体１５１と、光源装置本体支持部１５２と、平行化凹レンズ支持部１５３と、一対の光源装置固定部１５４とで構成される。
【００４１】
基体１５１は、図４に示すように、水平面（ＸＺ平面）に沿って延出する板体で構成され、光源装置１０を組み立てた状態で、主反射鏡１２の光射出後方側（図４中、−Ｚ軸方向側）を平面的に覆うように配設される。
この基体１５１において、＋Ｘ軸方向端縁には、図４に示すように、コネクタ１５１１を配設するためのコネクタ配設部１５１２が上方に向けて立設されている。
コネクタ１５１１は、光源ランプ１１に接続されるリード線（図示略）と接続し、光源装置１０を光学部品用筐体６０に設置した状態で、外装筺体２内部に設けられたコネクタ（図示略）と接続する。そして、前記各コネクタが接続することで、前記電源ユニットから光源ランプ１１に電力が供給される。
【００４２】
光源装置本体支持部１５２は、光源装置本体１０Ａを支持する部分であり、図４に示すように、平面視矩形枠状に形成された筒形状を有し、下方側端部（図４中、−Ｙ軸方向側端部）における光射出後方側端縁（図４中、−Ｚ軸方向側端縁）が基体１５１に接続する。
この光源装置本体支持部１５２において、筒形状の＋Ｚ軸方向端部は、図４に示すように、筒状の開口面積を小さくするように内側に向けて延出し、平行化凹レンズ支持部１５３に接続する接続部１５２１が形成されている。そして、光源装置本体１０Ａは、接続部１５２１の光射出後方側端面に主反射鏡１２の光射出前方側開口端縁を当接することでランプハウジング１５に対する所定位置に位置決めされ、図示しないばね等の付勢部材によりランプハウジング１５に対して固定される。このような状態では、光源装置本体支持部１５２における筒形状の一方の開口部分が光源装置本体１０Ａにより閉塞される。
【００４３】
平行化凹レンズ支持部１５３は、平行化凹レンズ１４を支持する部分であり、図４に示すように、接続部１５２１から光射出前方側（図４中、＋Ｚ軸方向）に向けて突出し、平面視略矩形状に形成された筒形状を有する。そして、平行化凹レンズ支持部１５３は、筒形状の一方側（図４中、＋Ｚ軸方向側）の筒形状の開口周縁部分にて平行化凹レンズ１４を支持固定する。このような状態では、平行化凹レンズ支持部１５３における筒形状の一方の開口部分が平行化凹レンズ１４により閉塞される。すなわち、光源装置本体支持部１５２および平行化凹レンズ１４における筒形状の開口部分が光源装置本体１０Ａおよび平行化凹レンズ１４により閉塞され、光源装置本体支持部１５２および平行化凹レンズ支持部１５３内部が略密閉空間とされる。
【００４４】
一対の光源装置固定部１５４は、図４に示すように、光源装置本体支持部１５２および平行化凹レンズ支持部１５３の水平方向（図４中、Ｘ軸方向）に交差する各側端面に突設され、光源装置１０を光学部品用筐体６０の光源装置支持部６３に固定する部分である。
これら一対の光源装置固定部１５４は、図４に示すように、光源装置本体支持部１５２および平行化凹レンズ支持部１５３の各側端部において、水平方向に対向し、互いに離間する方向に突設されている。
なお、以下では、一対の光源装置固定部１５４において、光源装置１０を光射出前方側から見た場合に、右側に配設される固定部を第１の固定部１５４１、左側に配設される固定部を第２の固定部１５４２として説明する。
【００４５】
第１の固定部１５４１は、図４に示すように、平板状に形成され、板面が水平面（前記鉛直方向に直交する平面）に平行に延出する。
そして、第１の固定部１５４１における一対の板面のうち一方の板面（図４における上方側端面）は、一対の位置決め部６３２１，６３２２に当接する当接面１５４１Ａとして機能する。
【００４６】
また、この第１の固定部１５４１には、図４に示すように、一対の位置決め部６３２１，６３２２の位置決め用孔６３２１Ｃ，６３２２Ｃに対応し、光源装置１０を一対の位置決め部６３２１，６３２２に位置決めするための位置決め用突起１５４１Ｂが形成されている。
さらに、この第１の固定部１５４１には、図４に示すように、一対の位置決め部６３２１，６３２２の固定用孔６３２１Ｄ，６３２２Ｄに対応し、光源装置１０を一対の位置決め部６３２１，６３２２に固定するための固定用孔１５４１Ｃが形成されている。
【００４７】
第２の固定部１５４２は、具体的な図示は省略するが、第１の固定部１５４１と同様の形状を有する。すなわち、第２の固定部１５４２は、第１の固定部１５４１における当接面１５４１Ａ、位置決め用突起１５４１Ｂ、および固定用孔１５４１Ｃと同様の、当接面１５４２Ａ、位置決め用突起および固定用孔（図示略）を有する。
【００４８】
以上説明した、各当接面１５４１Ａ，１５４２Ａは、光源装置１０から射出される光束の中心軸（図５中、照明光軸Ａに一致）を通る水平面ＨＳに対して、一対の位置決め部６３２１，６３２２における厚み寸法の半分の寸法分、鉛直方向にオフセットした位置に位置付けられるように形成されている。
【００４９】
〔光学部品用筐体に対する光源装置の設置方法〕
次に、光学部品用筐体６０に対する光源装置１０の設置方法を説明する。
図５は、光学部品用筐体６０に対する光源装置１０の設置方法を説明するための図である。具体的に、図５は、光学部品用筐体６０に対する光源装置１０の支持構造を照明光軸Ａに直交する平面に沿う平面にて切断し、光源装置１０側から見た断面図である。また、図５（Ａ）は、光学部品用筐体６０に対して光源装置１０を鉛直方向上方側から設置する場合を示している。図５（Ｂ）は、光学部品用筐体６０に対して光源装置１０を鉛直方向下方側から設置する場合を示している。
【００５０】
〔鉛直方向上方側からの設置方法〕
例えば、光学部品用筐体６０に対して光源装置１０を鉛直方向上方側から設置する構成を採用する場合には、以下に示すようにプロジェクタ１を構成する。
すなわち、図５（Ａ）に示すように、外装筺体２の天面の光源装置１０の配設位置に対応する位置に光源装置１０を外装筺体２内部の光学部品用筐体６０に対して着脱自在とする開口部２Ａを形成する。また、開口部２Ａを閉塞可能とするランプカバー２Ｂを開口部２Ａに着脱自在に設ける。
【００５１】
そして、光学部品用筐体６０に対して光源装置１０を以下に示すように設置する。
すなわち、先ず、ランプカバー２Ｂを開口部２Ａから取り外す。
次に、基体１５１が鉛直方向上方側に位置する姿勢状態（図４の状態の光源装置１０を、光源装置１０から射出される光束の中心軸（照明光軸Ａ）を中心として１８０°回転させた姿勢状態）で、開口部２Ａを介して鉛直方向上方側から光源装置１０を外装筺体２内部に挿入する。そして、第１の固定部１５４１における位置決め用突起１５４１Ｂを位置決め部６３２１における位置決め用孔６３２１Ｃに嵌合させるとともに、第２の固定部１５４２における位置決め用突起（図示略）を位置決め部６３２２における位置決め用孔６３２２Ｃに嵌合させる。また、第１の固定部１５４１における当接面１５４１Ａを位置決め部６３２１の第１の位置決め面６３２１Ａに当接させ、第２の固定部１５４２における当接面１５４２Ａを位置決め部６３２２の第１の位置決め面６３２２Ａに当接させる。この状態では、光源装置１０は、図５（Ａ）に示すように、光学部品用筐体６０に対する所定位置（光源装置１０から射出される光束の中心軸と照明光軸Ａとが一致した位置）に位置決めされる。
そして、２つの固定ねじ１５５（図４、図５（Ａ））により、第１の固定部１５４１の固定用孔１５４１Ｃと位置決め部６３２１の固定用孔６３２１Ｄとを接続するとともに第２の固定部１５４２の固定用孔（図示略）と位置決め部６３２２の固定用孔６３２２Ｄとを接続し、光学部品用筐体６０に対して光源装置１０を固定する。
なお、光学部品用筐体６０から光源装置１０を取り外す際には、上記と逆の手順で実施する。
【００５２】
〔鉛直方向下方側からの設置方法〕
また、例えば、光学部品用筐体６０に対して光源装置１０を鉛直方向下方側から設置する構成を採用する場合には、以下に示すようにプロジェクタ１を構成する。
すなわち、図５（Ｂ）に示すように、外装筺体２の底面の光源装置１０の配設位置に対応する位置に光源装置１０を外装筺体２内部の光学部品用筐体６０に対して着脱自在とする開口部２Ａを形成する。また、開口部を閉塞可能とするランプカバー２Ｂを開口部２Ａに着脱自在に設ける。
【００５３】
そして、光学部品用筐体６０に対して光源装置１０を以下に示すように設置する。
すなわち、先ず、ランプカバー２Ｂを開口部２Ａから取り外す。
次に、基体１５１が鉛直方向下方側に位置する姿勢状態（図４に示す光源装置１０の姿勢状態）で、開口部２Ａを介して鉛直方向下方側から光源装置１０を外装筺体２内部に挿入する。そして、第１の固定部１５４１における位置決め用突起１５４１Ｂを位置決め部６３２２における位置決め用孔６３２２Ｃに嵌合させるとともに、第２の固定部１５４２における位置決め用突起（図示略）を位置決め部６３２１における位置決め用孔６３２１Ｃに嵌合させる。また、第１の固定部１５４１における当接面１５４１Ａを位置決め部６３２２の第２の位置決め面６３２２Ｂに当接させ、第２の固定部１５４２における当接面１５４２Ａを位置決め部６３２１の第２の位置決め面６３２１Ｂに当接させる。この状態では、光源装置１０は、図５（Ｂ）に示すように、光学部品用筐体６０に対する所定位置（光源装置１０から射出される光束の中心軸と照明光軸Ａとが一致した位置）に位置決めされる。
そして、２つの固定ねじ１５５(図４、図５（Ｂ）)により、第１の固定部１５４１の固定用孔１５４１Ｃと位置決め部６３２２の固定用孔６３２２Ｄとを接続するとともに第２の固定部１５４２の固定用孔（図示略）と位置決め部６３２１の固定用孔６３２１Ｄとを接続し、光学部品用筐体６０に対して光源装置１０を固定する。
なお、光学部品用筐体６０から光源装置１０を取り外す際には、上記と逆の手順で実施する。
【００５４】
上述した実施形態においては、以下の効果がある。
本実施形態では、光学部品用筐体６０に光源装置支持部６３が形成され、ランプハウジング１５に一対の光源装置固定部１５４が形成されているので、光源装置１０を鉛直方向上方側および鉛直方向下方側の双方の側から光学部品用筐体６０に対して設置でき、例えば図５（Ａ）に示すように外装筐体２の天面に開口部２Ａおよびランプカバー２Ｂが形成されたプロジェクタ１の場合には光源装置１０を鉛直方向上方側から光学部品用筐体６０に設置する構造を採用し、図５（Ｂ）に示すように外装筐体２の底面に開口部２Ａおよびランプカバー２Ｂが形成されたプロジェクタ１の場合には光源装置１０を鉛直方向下方側から光学部品用筐体６０に設置する構造を採用できる。
したがって、図５（Ａ）に示すプロジェクタ１の場合、図５（Ｂ）に示すプロジェクタ１の場合に対応してそれぞれ光学ユニット（光学エンジン）を形成する必要がなく、光学ユニット３を光源装置１０の設置方向が異なる複数機種に応じた共通部品として採用でき、プロジェクタ１の製造を容易としその製造コストを低減できる。
【００５５】
ところで、例えば、一対の光源装置固定部１５４における当接面１５４１Ａ，１５４２Ａを第１の当接面とし、対向する各端面を第２の当接面とする。そして、光学部品用筐体６０に対して光源装置１０を鉛直方向上方側から設置する場合には、各第１の位置決め面６３２１Ａ，６３２２Ａと第１の当接面とを当接させる。また、光学部品用筐体６０に対して光源装置１０を鉛直方向下方側から設置する場合には、上述した光学部品用筐体６０に対して光源装置１０を鉛直方向上方側から設置した際での光源装置１０の姿勢状態（基体１５１が鉛直方向上方側に位置する姿勢状態）と同一の姿勢状態で、各第２の位置決め面６３２１Ｂ，６３２２Ｂと前記第２の当接面とを当接させる。このように構成した場合には、光学部品用筐体６０に対して光源装置１０を鉛直方向上方側から設置した状態と鉛直方向下方側から設置した状態とで、一対の位置決め部６３２１，６３２２の厚み寸法や、一対の光源装置固定部１５４の厚み寸法の影響により、照明光軸Ａに対する光源装置１０の位置決め状態が異なるものとなってしまう。
【００５６】
本実施形態では、一対の位置決め部６３２１，６３２２が照明光軸Ａを中心とする回転対称形状を有している。このため、光学部品用筐体６０に対して光源装置１０を鉛直方向上方側から設置する場合と鉛直方向下方側から設置する場合とで光源装置１０を異なる姿勢状態で設置することで、光学部品用筐体６０に対して光源装置１０を鉛直方向上方側から設置した状態と鉛直方向下方側から設置した状態とで、照明光軸Ａに対する光源装置１０の位置決め状態を同一のものとすることができる。すなわち、鉛直方向上方側および鉛直方向下方側の双方の側から設置した状態で、光源装置１０から射出された光束の中心軸を照明光軸Ａに一致させることができる。
【００５７】
また、一対の位置決め部６３２１，６３２２の鉛直方向上方側の各端面が第１の位置決め面６３２１Ａ，６３２２Ａとして構成され、鉛直方向下方側の各端面が第２の位置決め面６３２１Ｂ，６３２２Ｂとして構成されている。このため、光学部品用筐体６０に対して光源装置１０を鉛直方向上方側から設置する場合には、一対の位置決め部６３２１，６３２２の鉛直方向上方側の各端面（第１の位置決め面６３２１Ａ，６３２２Ａ）に第１の固定部１５４１および第２の固定部１５４２の各当接面１５４１Ａ，１５４２Ａをそれぞれ当接するだけで、光学部品用筐体６０に対して光源装置１０を簡単に設置できる。また、光学部品用筐体６０に対して光源装置１０を鉛直方向下方側から設置する場合には、上述した光学部品用筐体６０に対して光源装置１０を鉛直方向上方側から設置した際での光源装置１０の姿勢状態に対して上下が逆となる姿勢状態で、一対の位置決め部６３２１，６３２２の鉛直方向下方側の各端面（第２の位置決め面６３２１Ｂ，６３２２Ｂ）に第２の固定部１５４２および第１の固定部１５４１の各当接面１５４２Ａ，１５４１Ａをそれぞれ当接するだけで、光学部品用筐体６０に対して光源装置１０を簡単に設置できる。
さらに、光学部品用筐体６０に対する光源装置１０の支持構造が一対の位置決め部６３２１，６３２２と第１の固定部１５４１および第２の固定部１５４２の２つの箇所で実施されるので、光学部品用筐体６０に対する光源装置１０の支持状態を良好に維持できる。
【００５８】
ところで、各第１の位置決め面や各第２の位置決め面が、水平面ＨＳ上から離間した状態では、一対の位置決め部の製造誤差や第１の固定部および第２の固定部の製造誤差等の影響により、照明光軸Ａに対する所定位置に光源装置１０を位置決めすることが難しい。
本実施形態では、一対の位置決め部６３２１，６３２２は、平板形状の厚み方向中心位置Ｏが水平面ＨＳ上に位置するように形成されているので、各第１の位置決め面６３２１Ａ，６３２２Ａおよび各第２の位置決め面６３２１Ｂ，６３２２Ｂと水平面ＨＳとの各離間距離を同一のものとしかつ、各第１の位置決め面６３２１Ａ，６３２２Ａおよび各第２の位置決め面６３２１Ｂ，６３２２Ｂを水平面ＨＳに近接した状態とすることができる。このため、照明光軸Ａに対する所定位置に光源装置１０を良好に位置決めできるとともに、位置決め状態を安定して維持できる。
【００５９】
なお、本発明は前述の実施形態に限定されるものではなく、本発明の目的を達成できる範囲での変形、改良等は本発明に含まれるものである。
前記実施形態では、主反射鏡１２が楕円面リフレクタとして構成されていたが、これに限らず、光源ランプ１１から射出された光束を略平行光として反射するパラボラリフレクタとして構成しても構わない。このように主反射鏡をパラボラリフレクタとして構成した場合には、例えば、平行化凹レンズ１４の代わりに、防爆ガラス等の透光性基板を配置する構成を採用すれば、前記実施形態と同様に、光源装置本体支持部１５２および平行化凹レンズ支持部１５３内部を略密閉空間とし、光源ランプ１１が破裂等した場合であっても、光源装置１０外部に破片が飛散することを回避できる。
【００６０】
前記実施形態では、各第１の位置決め面６３２１Ａ，６３２２Ａおよび各第２の位置決め面６３２１Ｂ，６３２２Ｂは、平面状で形成されていたが、これに限らず、曲面状等の他の形状で形成しても構わない。なお、各当接面１５４１Ａ，１５４２Ａも同様である。
前記実施形態では、当接面が当接面１５４１Ａ，１５４２Ａの２つで構成され、第１の位置決め面が位置決め面６３２１Ａ，６３２２Ａの２つで構成され、第２の位置決め面も位置決め面６３２１Ｂ，６３２２Ｂの２つで構成されていたが、これに限らない。例えば、光源装置１０において、一対の光源装置固定部１５４のうち、第２の固定部１５４２を省略し、光源装置固定部を第１の固定部１５４１の１つのみで構成した場合には、第２の位置決め面６３２１Ｂおよび第１の位置決め面６３２２Ａを省略し、第１の位置決め面を位置決め面６３２１Ａの１つ、第２の位置決め面を６３２２Ｂの１つのみで構成しても構わない。すなわち、光源装置１０における当接面の数に応じて、第１の位置決め面および第２の位置決め面の各個数を設定すればよく、それぞれ１つずつ形成してもよいし、それぞれ複数形成する構成としてもよい。
【００６１】
前記実施形態において、一対の光源装置固定部１５４の配設位置や、一対の位置決め部６３２１，６３２２の配設位置は、前記実施形態で説明した配設位置に限らない。
前記実施形態では、一対の位置決め部６３２１，６３２２に第１の位置決め面６３２１Ａ，６３２２Ａおよび第２の位置決め面６３２１Ｂ，６３２２Ｂが形成されていたが、これに限らず、支持部本体６３１の側端面に第１の位置決め面および第２の位置決め面を形成しても構わない。この場合には、前記第１の位置決め面および前記第２の位置決め面に対応して光源装置に固定部を形成すればよい。
【００６２】
前記実施形態では、３つの液晶パネル４２Ｒ，４２Ｇ，４２Ｂを用いたプロジェクタ１の例のみを挙げたが、本発明は、１つの液晶パネルのみを用いたプロジェクタ、２つの液晶パネルを用いたプロジェクタ、あるいは、４つ以上の液晶パネルを用いたプロジェクタにも適用可能である。
前記実施形態では、光入射面と光射出面とが異なる透過型の液晶パネルを用いていたが、光入射面と光射出面とが同一となる反射型の液晶パネルを用いてもよい。
前記実施形態では、光変調装置として液晶パネルを用いていたが、マイクロミラーを用いたデバイスなど、液晶以外の光変調装置を用いてもよい。この場合は、光束入射側および光束射出側の偏光板４４，４５は省略できる。
前記実施形態では、スクリーンを観察する方向から投射を行なうフロントタイプのプロジェクタの例のみを挙げたが、本発明は、スクリーンを観察する方向とは反対側から投射を行なうリアタイプのプロジェクタにも適用可能である。
【００６３】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００６４】
本発明のプロジェクタは、光学エンジンを光源装置の設置方向が異なる複数機種に応じた共通部品として採用できるため、プレゼンテーションやホームシアタ等に用いられるプロジェクタとして利用できる。
【図面の簡単な説明】
【００６５】
【図１】本実施形態におけるプロジェクタの概略構成を示す平面図。
【図２】前記実施形態における光学ユニットの概略構成を示す斜視図。
【図３】前記実施形態における光学部品用筐体に対する光源装置の支持構造を示す分解斜視図。
【図４】前記実施形態におけるランプハウジングの構造を示す図。
【図５】前記実施形態における光学部品用筐体に対する光源装置の設置方法を説明するための図。
【符号の説明】
【００６６】
１・・・プロジェクタ、１０・・・光源装置、１１・・・光源ランプ、１２・・・主反射鏡（リフレクタ）、１５・・・ランプハウジング、４２Ｒ，４２Ｇ，４２Ｂ・・・液晶パネル（光変調装置）、５０・・・投射光学系（投射光学装置）、６０・・・光学部品用筐体、６３・・・光源装置支持部、１５４・・・光源装置固定部、１５４１・・・第１の固定部、１５４２・・・第２の固定部、１５４１Ａ，１５４２Ａ・・・当接面、６３２１，６３２２・・・位置決め部、６３２１Ａ，６３２２Ａ・・・第１の位置決め面、６３２１Ｂ，６３２２Ｂ・・・第２の位置決め面、Ａ・・・照明光軸、ＨＳ・・・水平面、Ｏ・・・厚み方向中心位置。
【図１】
2007256437.tif 000003
【図２】
2007256437.tif 000004
【図３】
2007256437.tif 000005
【図４】
2007256437.tif 000006
【図５】
2007256437.tif 000007